(57)【特許請求の範囲】
【請求項１】
氷のう（１００）において：
ある体積の氷を受け入れる内部空洞を有する可撓性容器（１１０）であって、冷却対象の身体の部分に接して配置される少なくとも１つの面（１１２）を有する可撓性容器（１１０）と、
前記内部空洞へのアクセスを可能にする前記可撓性容器（１１０）の開口部（１１６）と、
前記開口部（１１６）に近接する前記可撓性容器の係合装置（１２０）であって、第１嵌合係合システム（１３６）を有する係合装置（１２０）と、
内面と外面とを有する取外し可能なキャップ（１４０）であって、前記取り外し可能なキャップ（１４０）を前記係合装置（１２０）の第１嵌合係合システム（１３６）と封止係合させるように固定して前記氷のう（１００）を封止すべく、前記第１嵌合係合システム（１３６）と係合可能な第２嵌合係合システム（１４４）を有し、前記取外し可能なキャップ（１４０）の第２嵌合係合システム（１４４）が前記係合装置（１２０）の第１嵌合係合システム（１３６）と封止係合して保持されている間に前記氷のう（１００）から空気を放出する排気システム（１６４、１８０）を備えている取外し可能なキャップ（１４０）と、
を具備しており、
前記排気システム（１６４、１８０）が、
前記取り外し可能なキャップ（１４０）を通して前記取り外し可能なキャップ（１４０）の外面（１６０）と内面（１６２）との間に形成された穴（１６４）と、
前記取り外し可能なキャップ（１４０）の前記穴（１６４）に対して配置されたプラグ（１８０）であって、
前記取り外し可能なキャップ（１４０）の前記内面（１６２）に配置された下方封止部（１８６、１８８）であって、前記穴（１６４）を閉塞し、かつ前記穴（１６４）を通る空気の放出を妨げる停止位置を有する下方封止部（１８６、１８８）と、
前記取り外し可能なキャップ（１４０）の前記外面（１６０）に配置された上部（１８２）と、
前記上部（１８２）と前記下方封止部（１８６）との間の弾性部（１９０）であって、前記取り外し可能なキャップ（１４０）の前記内面（１６２）に対して前記下方封止部（１８６、１８８）を固定するように寸法が決められている弾性部（１９０）と、
を備えるプラグ（１８０）と、
前記プラグ（１８０）に設置されており前記プラグの弾性部（１９０）内に前記下方封止部（１８６、１８８）の方へ延在する解放機構（２１０）であって、当該解放機構（２１０）が、前記プラグ（１８０）の前記上部（１８２）においてアクセス可能な上側アクチュエータ（２１２）と、前記プラグ（１８０）内に延在する拡張下部（２１４）とを有しており、前記上側アクチュエータ（２１２）に加えられた圧力に対して反応して、前記拡張下部（２１４）を前記プラグ（１８０）の前記下方封止部（１８６、１８８）に押しつけて前記取り外し可能なキャップ（１４０）の前記内面（１６２）から離れる方向に変位状態まで移動させ、空気が前記穴（１６４）を通過することができるようにし、前記プラグ（１８０）の前記弾性部（１９０）が、前記解放機構（２１０）の上側アクチュエータ（２１２）に加えられていた前記圧力が除去されると前記プラグ（１８０）の前記下方封止部（１８６、１８８）を前記停止状態に戻す、解放機構（２１０）と、
を具備することを特徴とする氷のう（１００）。
【請求項２】
請求項１に記載の氷のう（１００）において、前記可撓性容器（１１０）が、厚さがおよそ０．０１５インチである医療用ラテックスを含むことを特徴とする氷のう（１００）。
【請求項３】
請求項２に記載の氷のう（１００）において、前記医療用ラテックスが、アレルギー反応を引き起こすタンパク質を除去するように濾過され、抗菌溶液と混合されることを特徴とする氷のう（１００）。
【請求項４】
請求項１に記載の氷のう（１００）において、前記可撓性容器（１１０）が、冷却対象である身体部分に接して配置可能である、前記開口部（１１６）の反対側に配置された底部（１１２）を有し、前記底部（１１２）が略矩形面を有していることを特徴とする氷のう（１００）。
【請求項５】
請求項１に記載の氷のう（１００）において、前記略矩形面が正方形であることを特徴とする氷のう（１００）。
【請求項６】
請求項１に記載の氷のう（１００）がさらに、中心本体（３５２）を有する弾性材料の単一シート（３５０）を備える圧迫ラップ（３００、３１２、５００、６００、７００、８００）であって、前記中心本体（３５２）からストラップ（３６０、３６２、３７０、３７２）が延在しており、前記中心本体（３５２）が前記氷のう（１００）の首（１１６）を受け入れる孔（３５４）を有し、前記ストラップ（３６０、３６２、３７０、３７２）が、前記身体部分に圧力を加えるべく、かつ前記身体部分から前記氷のう（１００）内の氷に熱を伝達すべく、前記身体部分に前記氷のう（１００）を固定すべく前記身体部分に対して配置可能であり、前記排気システム（１６４、１８０）により、前記圧迫ラップ（３００）または前記取り外し可能なキャップ（１４０）を妨げることなく前記氷のう（１００）から空気を除去することができ、前記放出された空気の体積を補償すべく収縮し、それにより連続的な前記身体部分に対する圧力および前記身体部分との熱的接触を維持する圧迫ラップ（３００）を具備することを特徴とする氷のう（１００）。
【請求項７】
請求項６に記載の氷のう（１００）において、前記圧迫ラップ（３００）が、前記中心本体（３５２）の第１側部から第１方向に延在する少なくとも第１ストラップ（３６０）と、前記中心本体の第２側部から第２方向に延在する少なくとも第２ストラップ（３６２）とを備えることを特徴とする氷のう（１００）。
【請求項８】
請求項６に記載の氷のう（１００）において、前記圧迫ラップ（３００）が、前記中心本体（３５２）の上部を人の腰に固定する少なくとも第１ストラップ（３６０）を備え、かつ前記中心本体（３５２）の下部を前記人の脚に固定する少なくとも第２ストラップ（３７０）を備え、前記中心本体（３５２）が、それにより、前記人の臀部の上に配置されて、前記人の前記臀部に接触して配置される前記氷のう（１００）に圧力を加えることを特徴とする氷のう（１００）。
【請求項９】
請求項６に記載の氷のう（１００）において、前記圧迫ラップ（５００、６００）が、人の肩であって前記人の首の一方に近接する肩に前記中心本体（５２０）の上部を固定する少なくとも第１ストラップ（５６０）を備え、かつ前記中心本体の下部を前記人の腕に固定する少なくとも第２ストラップ（５５０）を備え、前記中心本体（５２０）が、それにより、前記人の前記肩の上に配置されて、前記人の前記肩に接触して配置される前記氷のう（１００）に圧力を加えることを特徴とする氷のう（１００）。
【請求項１０】
人の身体の選択した領域を冷却すると同時に加圧する方法において、当該方法が：
氷のう（１００）を氷で充填するステップであって、前記氷のうは本体部（１１０）と首部（１１６）とを有し、さらに前記氷のう（１００）の前記本体部（１１０）に氷を挿入しかつ前記氷のう（１００）の前記本体部（１１０）から水を除去するための取外し可能なキャップ（１４０）を前記首部（１１６）に有し、
前記取外し可能なキャップは、
外面（１６０）および内面（１６２）と、
前記取り外し可能なキャップ（１４０）を通して前記外面（１６０）と前記内面（１６２）との間に形成された穴（１６４）と、
前記取り外し可能なキャップ（１４０）を取り外すことなく、前記氷のう（１００）の前記本体部（１１０）から空気を放出することができるように、前記穴（１６４）に配置された排気システム（１８０）とを具え、
前記排気システム（１８０、２１０）は、
前記穴（１６０）に配置されたプラグ（１８０）であって、前記取り外し可能なキャップ（１４０）の前記内面（１６２）に近接して、前記穴（１６４）を閉塞する封止部（１８６、１８８）を有するプラグ（１８０）と、
前記取り外し可能なキャップ（１４０）の前記外面（１６０）に近接し、上側アクチュエータ（２１２）と前記プラグ（１８０）内に延在する拡張下部（２１４）とを有する解放機構（２１０）と、
を具えている、ステップと、
圧迫ラップ（３００、３１２、５００、６００、７００、８００）の開口部を通して前記氷のう（１００）の前記首部（１１６）を配置するステップと、
前記氷のう（１００）の前記本体部（１１０）が前記圧迫ラップ（３００、３１２、５００、６００、７００、８００）と前記人の身体の選択した領域の間にあり、前記氷のう（１００）の前記首部（１１６）および前記取り外し可能なキャップ（１４０）が前記人の身体の選択した領域から離れる方向に前記圧迫ラップ（３００、３１２、５００、６００、７００、８００）から延在する状態で、前記圧迫ラップ（３００、３１２、５００、６００、７００、８００）を前記人の身体の選択した領域に固定するステップと、
前記氷のう（１００）の前記本体部（１１０）内部の氷が溶け、前記本体部（１１０）内に封入された空気を放出するときに、前記本体部（１１０）内部に氷および水を保持して、前記圧迫ラップ（３００、３１２、５００、６００、７００、８００）が前記人の身体の選択した領域を加圧し続けることができるようにしながら、前記拡張下部（２１４）が前記プラグ（１８０）の封止部（１８６、１８８）を前記取り外し可能なキャップ（１４０）の前記内面（１６２）から離れる方向に押しつけて変位状態に移動させて前記穴（１６４）を開放し、それにより、前記本体部（１１０）から空気を放出するように、前記解放機構（２１０）の上側アクチュエータ（２１２）に選択的に圧力を加えるステップと、
を具備することを特徴とする方法。
【発明の詳細な説明】
【技術分野】
【０００１】
本発明は、治療処置のために身体の一部にあてがって身体から熱を除去する氷のうの分野にある。
【背景技術】
【０００２】
氷のう（寒冷療法装置と呼ばれる）は、一般に、身体の一部にあてがわれて、痛みかつ炎症を起こしている筋肉および他の組織に対する治療処置の一部として身体から熱を除去する。特に、安静、冷却、圧迫および挙上の組合せが、軟組織損傷に対してもっとも広く使用されている治療法である。理想的には、治療される身体部分に対して、氷のうが、広い面積にわたって確実に接触するように固定して保持され、それにより、熱が身体部分から氷のう内の氷まで伝達される。確実な接触を可能にするとともに、治療プロセスを強化するように身体部分に圧力を加えるためにも、氷のうと組み合わせて圧迫ラップが使用されることが多い。
【０００３】
本出願人らは、従来の氷のう内の氷が融解する際、氷内に閉じ込められている空気が、氷のうの空洞内に放出され、圧迫ラップが、単に、最初に氷のうを充填していた非圧縮性の氷および水を介するのではなく、氷のう内の圧縮性空気を介して圧力を加えているため、そうした空気が圧迫の有効性を低減することを見出した。従来の氷のうは、氷のう内の空気の一部を放出するために充填キャップを部分的に緩めることにより部分的に開放することができるが、この手続きは、氷のう内の水の一部を放出するというリスクなしに達成することが困難であることが分かっている。さらに、治療されている人は、氷のうが肩または他の届きにくい身体部分に配置されている場合、ねじ込まれた充填キャップを緩めることができない場合がある。したがって、本出願人らは、従来の氷のうが十分ではなく、したがって、治療されている身体部分への冷気の浸透深さを増大させるために、治療処置のために圧迫ラップとともに使用される改良された氷のうが必要とされていると判断した。
【発明の概要】
【０００４】
本発明による実施形態の一態様は、身体部分に圧迫および冷却を同時に施すシステムである。氷のうが、氷を挿入し水を除去するための取外し可能キャップを有している。キャップの排気弁により、キャップを取り除くことも緩めることもなく、氷のうからの空気の放出が可能となる。圧迫ラップが、中心本体を有する弾性材料の単一シートであり、中心本体からストラップが延在している。中心本体の孔が、身体部分の上に配置される氷のうの首を受け入れる。シートの単一本体およびストラップが、氷のうを介して圧力を加える。融解する氷から氷のう内に放出される空気は、圧迫ラップもキャップも妨げることなく排気弁を介して除去される。圧迫ラップは、放出された空気の体積を補償するように収縮し、それにより連続的な身体部分に対する圧力および身体部分との熱的接触を維持する。
【０００５】
本発明による実施形態の別の態様は、首部を介してアクセス可能な空洞を有する可撓性バッグを備えた、圧迫ラップと組み合わせて使用される、治療処置用の氷のうである。好ましくは、可撓性バッグは、ラテックス、シリコーンまたは他の好適な材料を含む。好ましくは、可撓性バッグは、医療用（低アレルギー性）ラテックスおよび抗菌溶液の混合物を含む。好ましくは、可撓性バッグは、氷のうが施される身体の部分から氷のう内の氷への迅速な伝熱を可能にするのに十分薄い。例示する実施形態では、可撓性バッグは、略円形首部まで先細りになっている略矩形（たとえば、一実施形態では正方形）の主ボックス型本体部を有している。可撓性バッグの首部は、取外し可能キャップを受け入れる円形のねじコネクタに固定されている。ねじコネクタは、氷を、キャップが外されたコネクタの開口部から容易に挿入することができるのに十分な直径を有している。たとえば、一実施形態では、コネクタを通る可撓性バッグの首内への開口部は、従来の飲用グラスの直径（たとえば、およそ２．７５インチ）に略対応する直径を有している。したがって、たとえば、可撓性バッグを、冷蔵庫上のまたはその中の従来の製氷機または他の氷供給源から充填することができる。氷のうが充填されると、取外し可能キャップがコネクタと固定係合するようにねじ込まれて氷のうを封止し、氷がバッグ内で融解する際に氷のうからの水が漏れるのを防止する。
【０００６】
従来の氷のうのキャップとは異なり、本明細書に開示する氷のうの取外し可能キャップは、その外面に空気弁が配置されている。空気弁は、空気弁の弾性により、かつ氷のうによるあらゆる圧力により、閉鎖位置に保持される。空気弁は、氷のうが最初に氷で充填される時と融解する氷から追加の空気が放出される時との両方において、氷のうから空気が放出され得るのに十分に開放するように、使用者によって容易に押される。空気弁は、水をほとんど放出することなく、空気を放出するために、非常にわずかな量のみ開放するように構成されている。氷のう内の空気を放出した後、氷のうの首は、圧迫ラップの開口部を通して配置され、その後、治療対象の身体部分に、氷のうの主本体部がその身体部分に接し、使用者によってキャップがアクセス可能であるように、首部が圧迫ラップの開口部を通って延在するように配置される。そして、圧迫ラップは、身体部分に接している氷のうに圧力を加えるように締め付けられ、氷のう内のあらゆる追加の空気が空気弁を用いて放出される。治療が続き、氷のう内の氷から空気が放出されると、治療されている人または別の人は、圧迫ラップが氷のう内の氷に対して直接圧力を加え、それにより治療されている身体部分に対する圧力を維持することができるように、空気が氷のうから漏れるのを可能にするように空気弁に静かに触れるだけでよい。
【０００７】
空気弁は、取外し可能キャップに形成された孔に嵌合する圧縮性プラグを備えている。圧縮性プラグは、内側フランジおよび外側フランジを有している。キャップの孔内に配置されると、圧縮性プラグの内側フランジは、キャップの内面と静的に係合し、氷のうからの空気および水の放出を阻止する。空気弁は、圧縮性プラグ内に閉鎖端を有する止り穴に嵌合する排気ボタンをさらに備えている。排気ボタンは、圧縮性プラグの内側フランジをキャップの内面から離れる方向に移動させ、それにより内側フランジとキャップとの間に、氷のう内の空気が氷のうから漏れるのを可能にする開口部を提供するように、止り穴の閉鎖端に対して移動可能である。氷のうが、圧迫ラップからのまたは使用者が加える圧力からの圧力下にある時、氷のう内の空気は、氷のうから空気弁を通るように流され、それにより、氷のうの内部は大部分水および氷である。
【図面の簡単な説明】
【０００８】
本発明の態様による実施形態を、添付図面に関連して後述する。
【０００９】
【図１】図１は、本発明の実施形態による氷のうの斜視図を示す。
【図２】図２は、図１の氷のうの斜視図を示し、氷のうに氷を追加するかまたは氷のうから水を除去することができるように、キャップが取り除かれている。
【図３】図３は、図１の切断線３−３に沿って取り出された図１の氷のうの立断面図を示す。
【図４】図４は、図３の氷のうの首、コネクタおよびキャップの拡大立面図を示す。
【図５】図５は、図１の氷のうの組立分解斜視図を示す。
【図６】図６は、図４の排気ボタンの拡大斜視図を示す。
【図７】図７は、図４の排気弁の拡大斜視図を示す。
【図８】図８は、弁の上部の真下のリブ構造を示すために回転した図７の排気弁の斜視図を示す。
【図９】図９は、キャップの外（上）面から延在している排気弁および排気ボタンを示す、図４のキャップの頂部の拡大斜視図を示す。
【図１０】図１０は、キャップの内（底）面を通る排気弁の広がりを示す、図４のキャップの底部の拡大斜視図を示す。
【図１１】図１１は、図５の切断線１１−１１に沿って取り出された図５のキャップの立断面図を示す。
【図１２】図１２は、図１〜図１１の氷のうを人の臀部（ｈｉｐ）に固定する圧迫ラップの平面図を示す。
【図１３】図１３は、図１〜図１１の氷のうを人の膝に固定する圧迫ラップの平面図を示す。
【図１４】図１４は、図１〜図１１の氷のうを人の左肩に固定する圧迫ラップの平面図を示す。
【図１５】図１５は、図１〜図１１の氷のうを人の右肩に固定する圧迫ラップの平面図を示す。
【図１６】図１６は、図１〜図１１の第１氷のうを人の左肩の正面に固定し、図１〜図１１の第２の氷のうを人の左肩の背面に固定する圧迫ラップの平面図を示す。
【図１６】図１６は、図１〜図１１の第１氷のうを人の左肩の正面に固定し、図１〜図１１の第２の氷のうを人の左肩の背面に固定する圧迫ラップの平面図を示す。
【図１７Ａ】図１７Ａは、図１６の圧迫ラップを用いて人の左肩に２つの氷のうをあてがうことを示し、正面図を示す。
【図１７Ｂ】図１７Ｂは、図１６の圧迫ラップを用いて人の左肩に２つの氷のうをあてがうことを示し、背面図を示す。
【図１８】図１８は、図１〜図１１の第１氷のうを人の右肩の正面に固定し、図１〜図１１の第２氷のうを人の右肩の背面に固定する圧迫ラップの平面図を示す。
【図１９】図１〜図５の外側カラーリングの代替実施形態の斜視図を示し、外側カラーリングは、図１２〜図１６の圧迫ラップによって氷のうをさらに固定するためにフランジを備えている。
【発明を実施するための形態】
【００１０】
本明細書では、例示的な実施形態に関連して氷のうシステムおよび圧迫ラップシステムを開示している。実施形態は、締結システムの例示のために開示されており、添付の特許請求の範囲に規定されているものを除き限定するものではない。
【００１１】
図１〜図１１は、本発明の例示的な実施形態による氷のう１００を示す。氷のうは、下部のボックス状の主本体部１１０を備えている。図示する実施形態では、本体部は、略正方形の底部１１２を有し、それは、略四面ピラミッド型の上部１１４に移行している。上部は、円柱状首部１１６まで移行して（内側に先細りになって）いる。底部が正方形状であることにより、冷却および圧迫療法で治療されている人の身体部分に対してより広い表面積を配置することができる。氷のうは、好ましくはラテックスまたは他の好適な可撓性防水材料を含む。一実施形態では、氷のうは、医療用シリコーン等のシリコーンを含む。特に好ましい実施形態では、氷のうは、医療用（低アレルギー性）ラテックスおよび抗菌溶液の混合物を含む。たとえば、一実施形態では、ラテックス材料は、アレルギー反応を引き起こす可能性がある抗原（タンパク質）を除去するように濾過することによって処理される。細菌、カビ、真菌および他の微生物の成長を抑制するように混合物に抗菌溶液が付与され、それにより衛生的な氷のうが提供される。例示する実施形態では、ラテックス（または他の好適な材料）は、厚さが、高い温度伝達率を提供するために十分薄いように選択される。たとえば、例示する実施形態では、材料は厚さが０．０１５インチ（１５ミル）である。したがって、氷のうがあてがわれる身体の部分からの熱は、氷のう内の氷に迅速に伝達され、市場のより厚い氷のう材料より有効に身体の部分を冷却する。
【００１２】
氷のう１００の主本体部１１０の円柱状首部１１６は、雌ねじコネクタ１２０で終端している。図３および図４の断面図ならびに図５の組立分解図により詳細に示すように、コネクタは外側カラーリング１２２および内側受入リング１２４を備えている。外側カラーリングは、氷のうの首の外側の周囲に配置され、内側受入リングは、氷のうの首の内側に配置されている。図４に示すように、外側カラーリングおよび内側受入リングは、押し合わされて、２つのリングが雌コネクタを形成するように２つのリング間で氷のうの首の上部１２６を固定する。外側カラーリングの内面１３０および内側受入リングの外面１３２は嵌合する隆起を有し、それにより、コネクタを、氷のうの首の上部から容易に取り除くことができ、かつ氷のうの首とコネクタとの間に確実な水密シールが形成される。
【００１３】
雌ねじコネクタ１２０の内側受入リング１２４は、雌ねじ１３６が形成されている内側円柱状穴１３４を有している。外側カラーリングは、容易に把持することができる隆起外面１３８を有している。
【００１４】
雌ねじコネクタ１２０はキャップ１４０を受け入れる。キャップは、上部把持部１４２および下部係合部１４４を備えている。下部係合部は、円柱状であり、外面１４８に雄ねじ１４６が形成されている。雄ねじは、内側受入リング１２４の雌ねじ１３２と係合して、キャップが雌ねじコネクタに固定可能であるようにする。キャップの上部把持部および外側カラーリングの隆起外面１３４により、使用者は、キャップを内側受入リングに固定係合させることができる。キャップの外周のフランジ１５０もまた、内側受入リングの最上面１５２と堅固に係合する。ねじの係合およびフランジの最上面との係合により、キャップと内側受入リングとの間に防水シールが形成される。したがって、氷が融解する時に氷のう内に発生するいかなる水も、氷のうから漏出するのが防止される。
【００１５】
図９および図１０により詳細に示すように、キャップ１４０の上部把持部１４２は、上（外）面１６０および下（内）面１６２を有している。上部把持部には、上面に対して略中心である孔１６４（図５）が開けられている。図１１の断面図により詳細に示すように、孔は複数の直径を有している。上面に近接する孔の第１部１６６は、相対的に大きい直径（たとえば０．４８インチ）を有し、およそ０．１１５インチの深さまで延在している。孔は、下面に近接する孔の第２部１６８がおよそ０．２５インチの相対的に小さい直径を有するように、第１部の下方で内側に先細りになっている。
【００１６】
キャップ１４０の上部把持部１４２の孔１６４は、図７および図８の拡大図に示す排気弁１８０を受け入れる。排気弁の略ディスク状の上部１８２は、直径が、図９に示すように、排気弁の上部の外周と孔の上部の内周との間に隙間１８４があって、孔の第１（上）部内に嵌合するような寸法である。図８に示すように、排気弁の上部の下面には、Ｘ字型パターンを形成する複数のリブ１８４がある。リブの間の間隙により、排気弁の上部の真下に排気弁の上部の周囲の隙間までの流体連通路が提供される。
【００１７】
排気弁１８０は、略円錐形状の下部１８６をさらに備えており、それは、下部が上方基部１８８を有するように反転されている。下部の上方基部は、孔１６４の第２（下）部１６８より大きいように寸法が決められている。排気弁の中間部１９０が、上部と下部の基部との間に延在している。図７および図８に示すように、中間部は、好ましくは、バー１９２の間にＸ字型を形成するすみ肉を備えた略Ｘ字型断面を有している。
【００１８】
排気弁１８０の円錐状下部１８６は、キャップ１４０の上部把持部１４２の孔１６４の第２部１６８に押し通される。排気弁の下部の拡張長さは、手動器具または自動器具によって把持可能であり、それにより、下部の上方基部１８６が孔を完全に通過するのに十分、下部を孔内に引っ張ることができる。排気弁の弾性材料により、上方基部は、孔を通過するのに十分に縮む。上方基部は、孔を通して引っ張られると、排気弁を孔から取り除くことができないように拡張する。好ましい実施形態では、排気弁の中間部１９０の長さは、孔の第１部１６６の底部から上部把持部の下面１６２までの距離より小さいように選択される。したがって、排気弁の中間部は、排気弁が孔に挿入される時に引き伸ばされる。排気弁が挿入された後、中間部は、元の長さまで収縮し、下部の上方基部を上部把持部の下面に押し付ける。したがって、中間部は、下部の基部をキャップの下面に接して保持する付勢ばねとして機能する。したがって、下部の基部は、分離を防ぐとともに、図１０に示すように孔の第２部を封止するフランジとして機能する。上述したように、中間部は、略Ｘ字型断面を有している。Ｘ字型断面により、取付プロセス中に引き伸ばさなければならない材料が低減するとともに、後述するように排気弁を操作するために必要な圧力が低減する。取付後、排気弁の下部１９４（図７）は、図８に示すように円錐形状の上部を切るように除去される。
【００１９】
図７により詳細に示すように、排気弁１８０のディスク状上部１８２は、略凸状上面２００を有している。上面は、深さがおよそ０．１２５インチである円形凹部２０２を有している。止り中心穴２０４が、凹部の底部からおよそ０．３２５インチの深さまで下方に延在している。
【００２０】
排気弁１８０は、排気ボタン２１０を受け入れ、排気ボタン２１０は、円形凹部２０２内に嵌合するような寸法であるディスク状上部２１２を有し、かつ止り中心穴２０４内に嵌合するような寸法である拡張円柱状下部２１４を有している。特に、排気ボタンの円柱状下部は、ディスク状部分のおよそ０．３７インチ下方に延在し、内側に（およそ１度）先細りになっている。排気ボタンの下部には、一対の直径方向に対向するかえし（ｂａｒｂ）２１６がある。キャップ１４０内に排気弁を取り付けた後、図４の断面図に示すように、排気ボタンが、排気弁の円形凹部および中心穴に挿入される。２つのかえしが、取付後の排気ボタンの分離を妨げるかまたは防止する。
【００２１】
図４に示すように、排気ボタン２１０の上部２１２は、排気弁１８０の凹部２０２の底部からずれている。排気ボタンが押されると、排気ボタンの上部は凹部内を下方に移動するが、拡張下部２１４の下端２１８が、排気弁の止り中心穴２０４の底部を押す。排気弁の中間部１９０の断面が低減しているため、中間部は、排気弁の円錐状下部１８６の最上部１８８がキャップ１４０の下（内）面１６２から離れる方向に移動することができるように伸長するばねとして機能し、それにより、氷のう１００から空気が放出されるのを可能にする小さい間隙（図示せず）を開放する。中間部のＸ字型断面の要素の間の間隔により、空気が孔１６４の中を流れることができ、リブ１８４の間の間隔により、空気が下部１８２の下方を上部の周囲の隙間まで流れ、それにより孔の上部から流れ出ることができる。排気弁とキャップの下面との間に形成された間隙は、氷のうからほとんどまたはまったく水が放出されないように十分小さい。さらに、氷のうの意図された使用では、水は、間隙を通って放出されるように排気弁の近くに行かない。排気弁の弾性材料では、氷のうから空気を放出するために十分な間隙を形成するために排気ボタンの最上部に対して必要な圧力がわずかである。排気ボタンの最上部から圧力が放出されると、排気弁の中間部は、円錐状底部の最上部をキャップの内面に押し付けて再び孔を封止するように、再びばねとして機能する。
【００２２】
図１〜図１１に示す氷のう１００は、有利には、図１２〜図１８に示す改良された圧迫ラップとともに使用される。特に、図１２は、氷のうを人の臀部に固定する圧迫ラップ３００を示す。図１３は、氷のうを人の膝に固定する圧迫ラップ３１０を示す。図１４〜図１８は、肩圧迫ラップの実施形態を示す。
【００２３】
図１２の臀部圧迫ラップ３００は、市販のＬ−フォームネオプレン（ポリクロロプレン（ｐｏｌｙｃｈｌｏｒｐｈｅｎｅ）（ＣＲ）フォーム）かまたは同様の特性の材料の連続シート３５０を含む。シートは、強固であり、軟質であり、弾性（伸縮性）がある。シートは、厚さがおよそ２ミリメートルである。シートは、幅Ｗ１および高さＨ２の略矩形中心本体部３５２を含むパターンを有するような形状である。本明細書において、圧迫ラップが図１２に示すように向けられる場合、「幅」は水平方向寸法を指し、「高さ」は垂直方向寸法を指す。
【００２４】
孔３５４が、およそ中心において中心本体部３５２を通して形成される。例示する実施形態では、孔は直径がおよそ１．７５インチである。
【００２５】
４つの固定ストラップが中心本体部３５２から延在している。第１ストラップ３６０は、中心本体部の上部から左側に延在し、第２ストラップ３６２は、中心本体部の上部から右側に延在している。第１ストラップおよび第２ストラップの各々は、それぞれの幅Ｗ２およびそれぞれの高さＨ２を有している。第１ストラップおよび第２ストラップの上縁は、第１ストラップの左端から第２ストラップの右端までのシート３５０の全幅がＷ３であり、Ｗ３がＷ１＋（２×Ｗ２）に等しいように、中心本体部の上縁に位置合せされる。
【００２６】
第１ストラップ３６０の露出面は、左端に近接して配置されたフックアンドループ締結システムのループ（毛羽立ち）部の略矩形切片３６４を有している。ループ部の矩形切片は、第１ストラップ３６０に、糊付けにより、縫合により、または別の好適な方法により固定されている。第２ストラップ３６２の反対側（露出していない側）は、右端に近接するフックアンドループ締結システムのフック部の略矩形切片３６６（隠れ線で示す）を有している。フック部の矩形切片は、第２ストラップ３６２に、好適な方法によって固定されている。例示する実施形態では、後述するように、第１ストラップのループ部の矩形切片は、第２ストラップのフック部の矩形切片より幅が広く、それにより係合を調整することができる。例示的な好適なフックアンドループ締結システムは、Ｖｅｌｃｒｏ  ＵＳＡ  Ｉｎｃ．から入手可能なＶＥＬＣＲＯ（登録商標）商標締結システムであるが、他の製造業者のフックアンドループ締結システムを使用することも可能である。
【００２７】
第３ストラップ３７０は、中心本体部３５２の底部から左側に延在し、第４ストラップ３７２は、中心本体部の底部から右側に延在している。第３ストラップおよび第４ストラップの各々は、それぞれの幅Ｗ４およびそれぞれの高さＨ３を有している。第３ストラップおよび第４ストラップの下縁は、第３ストラップの左端から第４ストラップの右端までのシート３５０の全幅がＷ５であり、Ｗ５がＷ１＋（２×Ｗ４）に等しいように、中心本体部の上縁と位置合せされる。
【００２８】
第３ストラップ３７０の露出面は、左端に近接して配置されたフックアンドループ締結システムのループ部の略矩形切片３７４を有している。ループ部の矩形切片は、第３ストラップ３７０に、糊付けにより、縫合により、または別の好適な方法により固定されている。第４ストラップ３７２の反対側（露出していない側）は、右端に近接して配置されたフックアンドループ締結システムのフック部の略矩形切片３７６（隠れ線で示す）を有している。フック部の矩形切片は、第４ストラップ３７２に、好適な方法によって固定されている。例示する実施形態では、後述するように、第３ストラップのループ部の矩形切片は、第４ストラップのフック部の矩形切片より幅が広く、それにより係合を調整することができる。
【００２９】
第１ストラップ３６０および第２ストラップ３６２の下縁は、第３ストラップ３７０および第４ストラップ３７２の上縁から、それぞれ、高さＨ４の間隔を空けて配置されている。したがって、主本体部の全高さＨ１は、高さＨ２、Ｈ３およびＨ４の合計に実質的に等しい。
【００３０】
臀部圧迫ラップ３１０の寸法を、臀部圧迫ラップが意図されている人のサイズの範囲に従って変更することができる。たとえば、例示的一実施形態では、幅および高さは以下のおよその寸法を有している。すなわち、Ｗ１≒１３インチ、Ｗ２≒１３．５インチ、Ｗ３≒４０インチ、Ｗ４≒８インチ、Ｗ５≒２９インチ、Ｈ１≒１５インチ、Ｈ２≒４インチ、Ｈ３≒４インチおよびＨ４≒７インチである。
【００３１】
図１２に示すように、臀部圧迫ラップ３００の４つのストラップは、中心本体部３５２に対して略垂直である。好ましくは、中心本体部の第１ストラップ３６０および第２ストラップ３６２の下縁との垂直交差部分と、第３ストラップ３７０および第４ストラップ３７２の上縁との垂直交差部分とは、すみ肉３９０を形成するように丸みが付けられている。すみ肉は、後述するように、ストラップおよび中心本体部が引き伸ばされた時にシート３５０が裂けることを抑制するように機能する。好ましくは、４つのストラップの外側頂点もまた丸みが付けられている。
【００３２】
好ましくは、臀部圧迫ラップのシート３５０のストラップ３６０、３６２、３７０、３７２および中心本体部３５２の外側境界を形成する外縁と、孔３５４を画定するシートの内縁とが、複数の供給元から市販されている、弾性ウェビング（図示せず）により縁をトリミングすることによって補強される。弾性ウェビングは、同様に市販されている弾性糸を用いて従来の方法で縁に近接するシートに縫い付けられる。
【００３３】
例示する実施形態では、中心本体部３５２には、任意選択的な識別ラベル３９２が形成されている。
【００３４】
人の臀部に配置される氷のう１００に圧力を提供するために使用される場合、氷のうの首部１１６は、中心本体部３５２の孔３５４に押し通される。シート３５０が弾性であることにより、孔が伸長して首部のわずかにより広い直径を収容し、その中に首部を確実に保持することができる。氷のうに氷を充填した後、キャップ１４０がねじコネクタ１２０に固定される。排気ボタン２１０が最初に押下され、氷のうに圧力が加えられて、キャップが開放されていた間にバッグに入ったいかなる空気の実質的な部分も除去される。そして、氷のうの略正方形ボタン部１１２が人の臀部に接して配置される。第１ストラップ３６０および第２ストラップ３６２が、人の腰（ｗａｉｓｔ）の周囲に広げられ、第１ストラップのループ切片３６４が第２ストラップのフック切片３６６の真下に配置される。第１ストラップおよび第２ストラップの長さは、好ましくは、両ストラップが腰の周囲に広がるように引き伸ばされるように選択される。第１ストラップおよび第２ストラップの位置を調整した後、フック切片がループ切片に係合して、２つのストラップが人の腰に固定される。
【００３５】
第１ストラップ３６０および第２ストラップ３６２を人の腰に固定した後、中心本体部３５０が人の臀部の外側に沿って位置するように下方に引き伸ばされる。第３ストラップ３７０および第４ストラップ３７２は、臀部の下方の人の脚の周囲で引き伸ばされ、第３ストラップのループ切片３７４は第４ストラップのフック切片３７６の真下に配置される。第３ストラップおよび第４ストラップの位置を調整した後、フック切片がループ切片に係合して、２つのストラップが人の脚に固定される。
【００３６】
臀部圧迫ラップ３００が氷のう１００に圧力を加える。氷のう内の氷が融解し、氷のう内の氷および水の総体積が低減すると、圧迫ラップの弾性によって圧迫ラップが、人の臀部に対して氷のうを押し付け続ける。氷が融解して閉じ込められている空気を氷のう内に放出すると、空気が、臀部に対して加えられる力を低減するように緩衝効果を提供することができる。氷のう内の空気は、露出したキャップ１４０の排気ボタン２１０を押下することによって容易に除去される。空気が氷のうから放出されると、圧迫ラップの弾性によって臀部に対する圧力が維持され、それにより、氷が、氷のうの壁を通して臀部と熱的に接触し続ける。
【００３７】
図１３の膝圧迫ラップ３１２は、臀部圧迫ラップ３１０と同様に機能し、上述したようなＬ−フォームネオプレンまたは同様の材料のシート４００を含む。ネオプレンシートの形状は、人の膝に対して構成されている。特に、シートの中心本体部４０２は、幅Ｗ１１および高さＨ１１を有している。中心本体部のおよそ中心に、孔４０４が形成されている。膝圧迫ラップの孔は、臀部圧迫ラップの孔の直径と同様の直径を有し、およそ１．７５インチである。
【００３８】
膝圧迫ラップ３１２の中心本体部４０２から略垂直に３つのストラップが延在している。第１ストラップ４１０は、中心本体部の上部に近接して中心本体部の左側部から左側に延在しており、幅Ｗ１２を有している。第２ストラップ４１２が、中心本体部の底部に近接して中心本体部の左側部から左側に延在しており、幅Ｗ１３を有している。第３ストラップ４１４は、中心本体部の右側部から右側に延在し、中心本体部の右側部に対して略中心に位置している。第３ストラップは幅Ｗ１４を有している。膝圧迫ラップは、全幅Ｗ１５を有しており、それは、中心本体部の幅Ｗ１１、第１ストラップの幅Ｗ１２および第３ストラップの幅Ｗ１４の合計である。例示する実施形態では、第２ストラップの幅Ｗ１３は、第１ストラップの幅Ｗ１２より短い。
【００３９】
膝圧迫ラップ３１２の例示する実施形態では、３つのストラップは先細りになっている。第１ストラップ４１０は、中心本体部４０２の左側部との交差部分において高さＨ１２を有し、左端における高さＨ１３まで先細りになっている。第２ストラップ４１２は、中心本体部の左側部との交差部分において高さＨ１４を有し、左端における高さＨ１５まで先細りになっている。第３ストラップ４１４は、中心本体部の右側部との交差部分において高さＨ１６を有し、高さＨ１７まで先細りになっている。第１ストラップおよび第２ストラップは、中心本体部の左側部において高さＨ１８の間隔が開けられている。第１ストラップおよび第２ストラップのそれぞれの左端は、垂直方向に高さＨ１９の間隔が開けられている。しかしながら、２つのストラップの左端は位置合せされていないことに留意されたい。
【００４０】
膝圧迫ラップ３１２の寸法を、膝圧迫ラップが意図されている人のサイズの範囲に従って変更することができる。たとえば、例示的一実施形態では、幅および高さは以下のおよその寸法を有している。すなわち、Ｗ１１≒８．５インチ、Ｗ１２≒９．５インチ、Ｗ１３≒８．２５インチ、Ｗ１４≒７インチ、Ｗ１５≒２５インチ、Ｈ１１≒８．５インチ、Ｈ１２≒２．７５インチ、Ｈ１３≒２インチ、Ｈ１４≒２．７５インチ、Ｈ１５≒２インチ、Ｈ１６≒２．７５インチ、Ｈ１７≒２．２５インチ、Ｈ１８≒３インチおよびＨ１９≒３．７５インチである。
【００４１】
例示する実施形態では、第１ストラップ４１０の下縁と中心本体部４０２の左側部との交差部分、第２ストラップ４１２の上縁の中心本体部の左側部との交差部分、および第３ストラップ４１４の上縁および下縁の中心本体部の右側部との交差部分は、すみ肉４２０によって丸みが付けられている。さらに、第１ストラップの上縁の中心本体部の上部との交差部分、および第２ストラップの下縁の中心本体部の底部との交差部分は、すみ肉４２２によって湾曲している。上述したように、すみ肉は、後述するようにストラップおよび中心本体部が引き伸ばされた時にシート４００が裂けることを抑制するように機能する。好ましくは、３つのストラップの外側頂点ならびに中心本体部の右上頂点および左下頂点もまた、丸みが付けられている。好ましい実施形態では、中心本体部およびストラップを画定するシート４００の外縁と孔４０４を画定するシートの内縁とは、上述したように補強されている。
【００４２】
膝圧迫ラップ３１２の第１ストラップ４１０の反対側の（隠れた）面は、左端に近接して配置されたフックアンドループ締結システムのフック部の略矩形切片４３０を有している。矩形フック切片は、第１ストラップ４１０に、糊付けにより、縫合により、または別の好適な方法によって固定されている。膝圧迫ラップの第２ストラップ４１２の反対側の面は、左端に近接して配置されたフックアンドループ締結システムのフック部の略矩形切片４３２を有している。矩形フック切片は、第２ストラップ４１２に、好適な方法によって固定されている。膝圧迫ラップの第３ストラップ４１４の反対側の面は、右端に近接して配置されたフックアンドループ締結システムのフック部の略矩形切片４３４を有している。矩形フック切片は、第３ストラップ４１４に、好適な方法によって固定されている。
【００４３】
中心本体部の露出側は、中心本体部の左側部に近接して配置されたフックアンドループ締結システムのループ部の３つの略矩形切片を有している。上部ループ切片４４０は、第１ストラップ４１０のフック切片４４０と略位置合せされている。下部ループ切片４４２は、第２ストラップ４１２のフック切片４３２と略位置合せされている。中間ループ切片４４４は、第３ストラップ４１４のフック切片４３４に略位置合せされている。
【００４４】
第２ストラップ３６２の露出側には、フック部の略矩形切片３６６（隠れ線で示す）があり、フックアンドループ締結システムがそこに好適な方法で固定されている。例示する実施形態では、ループ部の矩形切片は、後述するように、フック部の矩形切片より幅が広く、それによって係合を調整することができる。
【００４５】
膝圧迫ラップ３１２は、臀部圧迫ラップ３１０と同様に機能する。氷のう１００に氷を充填し、氷のうの首部１１６を孔４０４に挿入した後、キャップ１４０が取り付けられ、排気ボタン２１０が押下されて氷のう内の空気が放出される。氷のうの底部１１２は、人の膝に接して配置される。第３ストラップ４１４は、人の膝の後方に引き伸ばされ、第３ストラップの端部に近接するフック切片４３４は、中心本体部４０２の中間ループ切片４４４と係合する。第１ストラップ４１０は、膝の上方で人の脚の周囲において引き伸ばされ、第１ストラップの端部に近接するフック切片４３０は、中心本体部の上部ループ切片４４０と係合する。第２ストラップ４１２は、人の膝の下方で人の脚の周囲において引き伸ばされ、第２ストラップの端部に近接するフック切片４３２は、中心本体部の下部ループ切片４４２と係合する。
【００４６】
上述したように固定されると、膝圧迫ラップ３１２の第１ストラップ４１０、第２ストラップ４１２および第３ストラップ４１４により、人の膝を快適に曲げることができる。特に、第１ストラップおよび第２ストラップは、下腿の曲げによって第２ストラップが第１ストラップからさらに離れる方向に移動すると、２つのストラップの間の材料が伸長してさらなる距離に対応するように、十分離れて配置されている。同時に、別個に固定されている第３ストラップは、孔４０４が膝の上の正しい位置にあるように中心本体部４０２の中心を保持する。
【００４７】
膝圧迫ラップ３１２は、氷のう１００の底部１１２を人の膝に押し付けるように圧力を加える。氷のう内の氷が融解すると、排気ボタン２１０が押下されて最初に氷内に閉じ込められていた空気が放出され、それにより氷のう内の氷に対して圧力が維持される。
【００４８】
膝圧迫ラップとして説明したが、圧迫ラップ３１２を、他の身体部分に対して圧迫および熱除去を提供するように適合することができる。たとえば、人の肘、手首、足首、足または他の身体部分に対して圧迫ラップを提供するように必要に応じて、膝圧迫ラップの寸法を容易に低減し、比率を調整することができる。より小さい関節および他の身体部分に対して、そのより小さい身体部分に対して圧力および熱除去を集中させるために、氷のう１００のサイズを低減することも可能である。
【００４９】
図１４は、図１〜図１１の単一の氷のう１００を人の左肩にあてがう肩圧迫ラップ５００の実施形態を示す。図１５に、右肩用の対応する実施形態６００を示す。
【００５０】
以下の説明で用いる水平および垂直は、図１４の実施形態の横置きの向きを基準とする。
【００５１】
図１４の肩圧迫ラップ５００は、図１４に示すパターンで形成されたＬ−フォームネオプレンまたは他の好適な材料の単一の一体型シート５１０を含む。好ましくは、肩圧迫ラップは、より広い表面積にわたってより高い強度を提供するように厚さがおよそ５ミリメートルである材料を含む。
【００５２】
シート５１０は、中心本体部５２０を有し、それは、圧迫ラップを人の首に近接して人の肩に快適に配置することができるように、かつ材料が裂かれることなく圧迫ラップを引き伸ばすことができるように、複数の湾曲があるように概して形成されている。例示する実施形態では、さまざまな湾曲およびすみ肉がなければ、中心本体部は、右縁５２２、左縁５２４、上縁５２６および下縁５２８を画定する一組の仮想線によって略輪郭が描かれるように、略矩形形状を有している。中心本体部は、略右縁と左縁との間に画定される長さＬ３１を有し、略上縁と下縁との間に画定される幅Ｗ３１を有している。仮想輪郭線は、単に説明を目的とするものであり、圧迫ラップの中心本体部の実際の境界を表すものではない。後述する中心本体部およびストラップは、連続シートから形成されており、それにより、中心本体部がストラップに移行する場所を除き、明確な境界は存在しない。
【００５３】
中心本体部５２０には、その中心本体部の中心領域内に位置する孔５３０がある。孔は、上述したように氷のうの首部１１６を受け入れる。後述するように人に固定される時、氷のうは、人の左肩の略上部に配置される。図示する実施形態では、孔は直径がおよそ１．７５インチである。中心本体部の物理的な上縁５３２は、圧迫ラップの本来は直線状の縁が人の首に対してあてがわれないように、圧迫ラップ５００が人の左肩に固定される時に人の首の周囲に隙間が提供されるように、（擬似上縁５２６に対して）平滑な湾曲した窪み５３４を有している。
【００５４】
第１ストラップ５４０が、中心本体部５２０の右縁５２２の上部から上方にかつ右側に、水平面に対しておよそ２１度の角度Ａ３１で延在している。第１ストラップは、長さＬ３２および幅Ｗ３２を有している。フックアンドループ締結システムのループ部の第１略矩形切片５４２が、第１ストラップの長さの方向に略位置合せされて第１ストラップに配置されている。ループ部の矩形切片の一部は、図示するように中心本体部の上に延在することができる。他の実施形態に関して上述したように、矩形切片は、好適な方法によって第１ストラップおよび中心本体部に固定されている。
【００５５】
第２ストラップ５５０が、中心本体部５２０の左縁５２４の下部から左側に延在している。第２ストラップは、第２ストラップの下縁が中心本体部の下縁５２８と略位置合せされて、略水平である。例示する実施形態では、第２ストラップは長さＬ３３および幅Ｗ３３を有している。フックアンドループ締結システムのフック部（隠れ線で示す）の第１略矩形切片５５２が、第２ストラップの左端に近い第２ストラップの反対側の（隠れた）側に、第２ストラップの長さの方向に略位置合せされて配置されている。矩形フック部切片は、第２ストラップに、上述したように好適な方法によって固定されている。
【００５６】
第３ストラップ５６０が、中心本体部５２０の左縁５２４の上部から上方にかつ左に、水平面に対しておよそ８度の角度Ａ３２で延在している。第３ストラップは、長さＬ３４および幅Ｗ３４を有している。第３ストラップの下縁は、中心本体部との鋭利な交差部分をもたらさないように、大きい湾曲したすみ肉部分５６２を介して中心本体部に移行している。フックアンドループ締結システムのフック部（隠れ線で示す）の第２略矩形切片５６４は、第３ストラップの左端の近くの第３ストラップの反対側の（隠れた）側に、第３ストラップの長さの方向に略位置合せされて配置されている。第２矩形フック切片は、第３ストラップに、上述したように好適な方法によって固定されている。
【００５７】
フックアンドループ締結システムのフープ部の第２略矩形切片５７０は、中心本体部５２０の孔５３０と中心本体部の下縁５２８との間に配置されている。図示する実施形態では、第２ループ部切片は、長い方の側部が中心本体部の下縁に略平行であるように向けられる。
【００５８】
図示するように、左肩圧迫ラップ５００は、引き伸ばす前は、全幅Ｗ３５および全長Ｌ３５を有している。
【００５９】
左肩圧迫ラップ５００の寸法を、肩圧迫ラップが意図されている人のサイズの幅に従って変更することができる。たとえば、例示的一実施形態では、幅および高さは、肩圧迫ラップを引き延ばす前は以下のおよその寸法を有している。すなわち、Ｗ３１≒１５インチ、Ｗ３２≒５．３インチ、Ｗ３３≒３．４インチ、Ｗ３４≒４．７インチ、Ｗ３５≒１７．４インチ、Ｌ３１≒１２インチ、Ｌ３２≒４．１インチ、Ｌ３３≒９．１インチ、Ｌ３４≒２４インチおよびＬ３５≒４２インチである。ネオプレンシート５１０の弾性を鑑みると、上述した寸法を変更することができる。さらに、ストラップおよび中心本体部の相対的な長さおよび幅は、例示的な寸法とは異なる比率を有することができる。
【００６０】
図１９の左肩圧迫ラップ５００が、図１〜図１１の氷のう１００とともに使用されて、人の左肩に圧力を加えるとともにそこから熱を抽出する。氷のう１００を充填し閉鎖した後、氷のうのキャップ１４０および首部１１６は、圧迫ラップの孔５３０内に押し通される。そして、第１ストラップ５４０の端部が人の左肩の背面に掛けられるように、かつ第２ストラップ５５０の端部が人の左肩の正面に掛けられるように、本体部５２０が人の左肩の略上部にあって、氷のうは人の左肩の上部に配置される。第２ストラップは、第２ストラップの端部の第１フック部切片５５２が本体部の第２ループ部切片５７０に係合するように配置されるように、人の左の脇の下の真下を通過するように引き伸ばされる。そして、第３ストラップ５６０は、人の胸を横切って、人の右脇をまわって、人の上背を横切って戻るように、第３ストラップの自由端の第２フック切片５６４が第１ストラップの第１ループ部切片５４２と係合するように配置されるまで、伸ばされ引っ張られる。中心本体部および３つのストラップがネオプレンの単一の一体型シートを含むため、肩圧迫ラップ全体が、各フック部切片がそれぞれのループ部切片と係合することができるように伸長することが理解されるべきである。ストラップに近接する中心本体部の湾曲およびすみ肉により、鋭利な角があるように形成されている場合に裂かれる可能性がなく、中心本体部が伸長することができる。好ましくは、中心本体部およびストラップを画定するシート５１０の外縁と、孔を画定するシートの内縁とは、有利には上述したように補強されている。
【００６１】
圧迫ラップ５００を、ストラップの再調整を必要とすることなく長期間肩に装着することができる。特に、氷のう１００内の氷が融解する際、氷から放出される閉じ込められた空気が氷のうに入り、氷のうに対して加えられる圧力を拡散させる緩衝材として作用するある体積の空気が生成される。使用者は、氷のうによって加えられる圧力が低いと感じた場合、上述したように、単に排気ボタン２１０を押下する。排気ボタンは、人の肩の上部において容易にアクセス可能である。圧迫ラップの引き伸ばされたストラップ５４０、５５０、５６０および中心本体部５２０の張力により、圧迫ラップが収縮して氷のうから空気を押出し、それにより空気によってもたらされる緩衝効果が除去される。使用者は、この場合もまた、氷のうに対して、したがって使用者の肩に対して直接加えられる圧力から利益を得る。
【００６２】
図１５は、図１４の左肩圧迫ラップ５００の鏡像である、右肩圧迫ラップ６００を示す。右肩圧迫ラップは、上述したもの同様に構成され、左肩圧迫ラップと同様に機能する。したがって、上述した説明は、左および右の言及を除き図１５に当てはまる。
【００６３】
図１６は、図１〜図１１の氷のう１００のうちの２つを人の左肩にあてがう肩圧迫ラップ７００の実施形態を示す。図１８に、右肩用の対応する実施形態８００を示す。人の肩の上部に氷のうを配置する、図１４の単一氷のう肩圧迫ラップ５００とは異なり、図１６および図１７の肩圧迫ラップは、肩の前方部分にわたって第１氷のうを配置し、肩の後方部分にわたって第２氷のうを配置する。単一圧迫ラップによって２つの氷のうに加えられる圧力は、２つの氷のうの間に肩を押し込むことによって、肩に加えられる圧力を増大させ、肩から氷のうへの熱の伝達を確実にする。
【００６４】
以下の説明において水平および垂直は、図１６の実施形態の横置きの向きを基準とする。
【００６５】
図１６の肩圧迫ラップ７００は、図１６に示すパターンで形成されたＬ−フォームネオプレンまたは他の好適な材料の単一の一体型シート７１０を含む。好ましくは、肩圧迫ラップは、より広い表面積にわたってより大きい力を提供するように厚さがおよそ５ミリメートルである材料を含む。
【００６６】
シート７１０は、中心本体部７２０を有し、それは、圧迫ラップを人の首に近接して人の肩に快適に配置することができるように、かつ材料が裂かれることなく圧迫ラップを引き伸ばすことができるように、複数の湾曲があるように略形成されている。例示する実施形態では、さまざまな湾曲およびすみ肉がなければ、中心本体部は、仮想輪郭線７２２によって示すように六面多角形の概略形状を有している。上述したように、仮想輪郭線は、単に説明を目的とするものであり、圧迫ラップの実際の境界を表すものではない。材料を引き伸ばす前、中心本体部は、図１６の左端における幅Ｗ４１と長さＬ４１とを有している。
【００６７】
中心本体部７２０の上縁７３０には、人の首に近接した上縁の配置に適応するように窪み７３２が形成されている。中心本体部には、第１孔７３４および第２孔７３６をさらにあり、それらの各々は、例示する実施形態では直径がおよそ１．７５インチである。第１孔は、基準線７３８の左側に配置され、第２孔は、基準線の右側に配置されている。基準線は、およそ窪みの中間点から延在し、単に説明の目的で示されている。圧迫ラップ７００が、窪みを人の首に近接して配置して、人の左肩の上に配置されると、基準線は、第１孔が人の胸の上方の人の肩の正面に配置され、第２孔が人の上背における人の肩の背面に配置されて、人の肩の上部に略位置合せされる。図１６に示すように平坦に位置する場合、第１孔および第２孔はおよそ９インチの間隔を空けて配置されている。
【００６８】
中心本体部の右縁の上部は、第１ストラップ７４０に移行している。第１ストラップは、水平面に対しておよそ２５度の角度Ａ４１で上方にかつ右側に略向けられている。例示する実施形態では、第１ストラップは、幅Ｗ４２および長さＬ４２（仮想輪郭線の境界から測定）を有している。フックアンドループ締結システムのループ部の略矩形切片７４２が、第１ストラップの長さの方向に略位置合せされて第１のストラップに配置されている。ループ部の矩形切片は、図示するように中心本体部上に延在している。矩形切片は、他の実施形態に関して上述したように、好適な方法によって第１の短いストラップと中心本体部とに固定されている。
【００６９】
中心本体部７２０の下縁の右部は、第２のストラップ７５０に移行している。第２ストラップは、垂直面に対しておよそ１５度の角度Ａ４２で、下方にかつ右側に略向けられている。例示する実施形態では、第２ストラップは、幅Ｗ４３および長さＬ４３（仮想輪郭線の境界から測定）を有している。フックアンドループ締結システムのフック部（隠れ線で示す）の略矩形切片７５２は、第２ストラップの長さの方向に略位置合せされて第２ストラップの反対側の（隠れた）面に配置されている。矩形フック切片は、第２ストラップに、上述したように好適な方法によって固定されている。
【００７０】
中心本体部の左縁の上部は、第３ストラップ７６０に移行している。第３ストラップは、水平面に対しておよそ７度の角度Ａ４３で、上方にかつ左側に略向けられている。例示する実施形態では、第３ストラップは、幅Ｗ４４および長さＬ４４（仮想輪郭線の境界から測定）を有している。フックアンドループ締結システムのフック部（隠れ線で示す）の略矩形切片７６２は、第３ストラップの長さの方向に略位置合せされて第３ストラップの反対側の（隠れた）面に配置されている。矩形フック切片は、第３ストラップに、上述したように好適な方法によって固定されている。
【００７１】
中心本体部７２０の左下角部７８０が、大きい湾曲として形成されている。フックアンドループ締結システムのループ部の略矩形切片７８２が、左下角部に配置され、角部を形成する湾曲のおよそ中間的から延在している半径に沿って、水平面に対しておよそ４５度で向けられている。矩形切片は、中心本体部に、上述したように好適な方法によって固定されている。
【００７２】
図示するように、引き伸ばす前、肩圧迫ラップ７００は、全幅Ｗ４５および全長Ｌ４５を有している。
【００７３】
肩圧迫ラップ７００の寸法を、肩圧迫ラップが意図されている人のサイズの範囲に従って変更することができる。たとえば、例示的一実施形態では、幅および高さは、以下のおよその寸法を有している。すなわち、Ｗ４１≒１６インチ、Ｗ４２≒５インチ、Ｗ４３≒５インチ、Ｗ４４≒５インチ、Ｗ４５≒２９インチ、Ｌ４１≒３０．２５インチ、Ｌ４２≒２．５インチ、Ｌ４３≒１１．７５インチ、Ｌ４４≒２３．５インチおよびＬ４５≒５６．７５インチである。ネオプレンシート７１０の弾性に鑑みると、上述した寸法を変更することができる。さらに、ストラップおよび中心本体部の相対的な長さおよび幅は、例示的な寸法と異なる比率を有することができる。
【００７４】
図１７Ａおよび図１７Ｂに示すように、図１６の肩圧迫ラップ７００は、第１氷のう１００Ａおよび第２氷のう１００Ｂを氷で充填し、第１氷のうのそれぞれの首２１０を中心本体部７２０の第１孔７３４を通して配置し、第２氷のうのそれぞれの首を中心本体部の第２孔７３６を通るように配置することによって使用される。各氷のう内の氷の体積を、使用者が望むように調整することができる。第１氷のうは、人の胸の上方の人の左肩の正面に配置され、第２氷のうは、人の上背の上の人の左肩の後方に配置される。上述したように、窪み７３２は、人の首に沿って配置される。圧迫ラップは、基準線７３８が人の肩の上部に略沿うように、人の左肩に掛けられる。
【００７５】
２つの氷のう１００を、人の肩の正面および後方の選択された位置に保持している間、第２ストラップ７５０は、人の左の脇の下の真下で引っ張られ、第２ストラップの自由端のフック切片７５２が、中心本体部７２０の左下角部７８０においてループ切片７８２と係合するように配置されるまで、引き伸ばされる。そして、第３ストラップ７６０は、人の胸を横切って、人の右脇をまわって、人の上背を横切って戻るように、第３ストラップの自由端のフック切片７６２が第１ストラップ７４０のループ切片７４２と係合するように配置されるまで、引き伸ばされかつ引っ張られる。中心本体部および３つのストラップがネオプレンの単一の一体型シートを備えているため、肩ラップ全体が、各フック切片がそれぞれのループ切片と係合することができるように伸長することが理解されるべきである。ストラップに近接する中心本体部の大きい湾曲により、中心本体部に鋭利な角があるように形成されていた場合に裂ける可能性がなく、中心本体部を引き伸ばすことができる。シート７１０の外縁および孔７３４、７３６の周囲のシートの縁は、有利には、上述したように補強されている。
【００７６】
図１７Ａおよび図１７Ｂに示すように２つの氷のう１００Ａ、１００Ｂが配置されると、氷のうの底部は、上下逆のＶ字型を形成し、「Ｖ」の頂点は、肩の上部の鎖骨および肩峰鎖骨（ＡＣ）関節の周囲の領域に配置される。
【００７７】
圧迫ラップ７００を、ストラップの再調整を必要とすることなく長期間肩の上に装着することができる。特に、氷が氷のう１００内で融解する際、氷から放出される閉じ込められた空気が、氷のうに入り、氷のうに対して加えられる圧力を拡散する緩衝材として作用するそれぞれの体積の空気をもたらす。使用者は、２つの氷のうの間に加えられた圧力が低いと感じた場合、単に、上述したように、各氷のうの排気ボタン２１０を押下する。排気ボタンは、人の肩の上部の近くで容易にアクセス可能である。圧迫ラップの引き伸ばされたストラップおよび中心本体の張力により、圧迫ラップは収縮して氷のうから空気を押し出し、それにより、空気によってもたらされる緩衝効果を除去する。使用者は、この場合もまた、氷のうに対して直接、したがって使用者の肩に対して加えられる圧力から利益を得る。
【００７８】
図１８は、図１６の左肩圧迫ラップ７００の鏡像である、右肩圧迫ラップ８００を示す。右肩圧迫ラップは、上述した方法と同様に構成され、左肩圧迫ラップと同様に機能する。したがって、上述した説明は、左および右の言及以外は図１８に当てはまる。
【００７９】
図１９は、図１〜図５の外側カラーリング１２２に対応する、外側カラーリングが上部９１０を有する、さらなる実施形態による外側カラーリング９００を示す。図１９の外側カラーリングは、フランジ９３０を支持する拡張した円柱状下部９２０をさらに有している。図示するように、フランジは、直径が、円柱状下部より実質的に大きく、氷のう１００のキャップ１４０の上部把持部１４２より大きい。図１１〜図２０の圧迫ラップのそれぞれの孔は、キャップの上部把持部および氷のう１００の外側リングを収容するように伸長し、その後、氷のうの首部１１６の周囲に滑り嵌合するように収縮するように意図されているが、孔を包囲する圧迫ラップの部分の弾性は、常に、孔を、氷のうの首部を確実に保持するのに十分小さい直径まで収縮させるのに十分であるとは限らない。他の場合では、孔の弾性は、大きすぎる場合があり、孔を包囲する材料が、氷のうの可撓性首部に大きすぎる圧力を加えることになる場合がある。拡張した円柱状下部は、氷のうの首部の閉鎖を防ぐ堅固な障壁を提供する。氷のうのキャップの上部把持部が孔に挿入された後に、孔が十分小さい直径まで収縮しない場合であっても、フランジは、圧迫ラップの孔を通過する可能性がはるかに低い大きい表面積を提供する。
【００８０】
本発明の範囲から逸脱することなく上記構成においてさまざまな変更を行うことができるため、上記説明に含まれるかまたは添付図面に示されるもののすべてが、限定する意味ではなく例示するものとして解釈されるべきであることが意図されている。
【図１】
0006012082.tif 000002
【図２】
0006012082.tif 000003
【図３】
0006012082.tif 000004
【図４】
0006012082.tif 000005
【図５】
0006012082.tif 000006
【図６】
0006012082.tif 000007
【図７】
0006012082.tif 000008
【図８】
0006012082.tif 000009
【図９】
0006012082.tif 000010
【図１０】
0006012082.tif 000011
【図１１】
0006012082.tif 000012
【図１２】
0006012082.tif 000013
【図１３】
0006012082.tif 000014
【図１４】
0006012082.tif 000015
【図１５】
0006012082.tif 000016
【図１６】
0006012082.tif 000017
【図１７Ａ】
0006012082.tif 000018
【図１７Ｂ】
0006012082.tif 000019
【図１８】
0006012082.tif 000020
【図１９】
0006012082.tif 000021